(57)【要約】【課題】後処理ジョブが行われるべき用紙が取り除かれた場合、表示部にメッセージを表示する。【解決手段】画像形成システム１００は、画像形成装置１０１、積載部１０７及び用紙検出手段１０６を備えるインサータ１０２、後処理機１０３、１０４、１０５及び制御装置２０１を有し、制御装置は、後処理を伴う画像形成処理を行う画像形成ジョブ及び画像形成処理を行わずに後処理のみを行う後処理ジョブを受け付ける受付手段と、ジョブリストを生成するジョブリスト生成手段と、用紙検出手段の検出結果が有状態から無状態へ変化した場合に、ジョブリストの中に後処理ジョブが含まれるか否かを判断する判断手段と、ジョブリストに後処理ジョブが含まれると判断された場合に、表示部２０２にメッセージを表示する表示手段と、を備える。【選択図】図８
2019098672.tif 000002
【特許請求の範囲】
【請求項１】
用紙に画像形成処理を行う画像形成装置と、
用紙が積載される積載部、及び、前記積載部の用紙が有るか無いかを検出する用紙検出手段を備えるインサータと、
前記画像形成装置から搬送された用紙に対して後処理を行うことが可能であるともに、前記インサータが備える前記積載部から給送されてきた用紙に対しても前記後処理を行うことが可能な後処理機と、
制御装置と、
を有する画像形成システムであって、
前記制御装置は、前記後処理を伴う前記画像形成処理を行う画像形成ジョブ、及び、前記画像形成処理を行わずに前記後処理のみを行う後処理ジョブを受け付ける受付手段と、
前記受付手段により受け付けられたジョブを管理するためのジョブリストを生成するジョブリスト生成手段と、
前記用紙検出手段の検出結果が有状態から無状態へ変化した場合に、前記ジョブリストの中に前記後処理ジョブが含まれるか否かを判断する判断手段と、
前記判断手段により前記ジョブリストに前記後処理ジョブが含まれると判断された場合に、表示部にメッセージを表示する表示手段と、
を備えることを特徴とする画像形成システム。
【請求項２】
前記メッセージは、ユーザに前記後処理ジョブが予約されているという情報及び前記用紙を前記積載部へ正しい状態で戻すための情報を含むことを特徴とする請求項１に記載の画像形成システム。
【請求項３】
前記表示部に前記メッセージが表示された後に前記用紙検出手段の前記検出結果が前記無状態から前記有状態へ変化した場合に、前記表示部は、前記メッセージを前記表示部から消すことを特徴とする請求項１又は２に記載の画像形成システム。
【請求項４】
用紙に画像形成処理を行う画像形成装置と、
用紙が積載される積載部、及び、前記積載部の用紙が有るか無いかを検出する用紙検出手段を備えるインサータと、
前記画像形成装置から搬送された用紙に対して後処理を行うことが可能であるともに、前記インサータが備える前記積載部から給送されてきた用紙に対しても前記後処理を行うことが可能な後処理機と、
制御装置と、
を有する画像形成システムであって、
前記制御装置は、前記後処理を伴う前記画像形成処理を行う画像形成ジョブ、及び、前記画像形成処理を行わずに前記後処理のみを行う後処理ジョブを受け付ける受付手段と、
前記受付手段により受け付けられたジョブを管理するためのジョブリストを生成するジョブリスト生成手段と、
前記用紙検出手段の検出結果が有状態から無状態へ変化した場合に、前記ジョブリストの中に前記後処理ジョブが含まれるか否かを判断する判断手段と、
前記判断手段により前記ジョブリストに前記後処理ジョブが含まれると判断された場合に、前記後処理ジョブを前記ジョブリストから削除する削除手段と、
を備えることを特徴とする画像形成システム。
【請求項５】
前記削除手段は、前記検出結果の前記無状態が変わらずに所定時間経過したときに前記後処理ジョブを前記ジョブリストから削除することを特徴とする請求項４に記載の画像形成システム。
【請求項６】
インサータと後処理機とに接続可能であり、用紙に画像形成処理を行う画像形成装置であって、前記インサータは、用紙が積載される積載部、及び、前記積載部の用紙が有るか無いかを検出する用紙検出手段を備え、前記後処理機は、前記画像形成装置から搬送された用紙に対して後処理を行うことが可能であるともに、前記インサータが備える前記積載部から給送されてきた用紙に対しても前記後処理を行うことが可能であり、
前記画像形成装置は、
前記後処理を伴う前記画像形成処理を行う画像形成ジョブ、及び、前記画像形成処理を行わずに前記後処理のみを行う後処理ジョブを受け付ける受付手段と、
前記受付手段により受け付けられたジョブを管理するためのジョブリストを生成するジョブリスト生成手段と、
前記用紙検出手段の検出結果が有状態から無状態へ変化した場合に、前記ジョブリストの中に前記後処理ジョブが含まれるか否かを判断する判断手段と、
表示部と、
前記判断手段により前記ジョブリストに前記後処理ジョブが含まれると判断された場合に、前記表示部にメッセージを表示する表示手段と、
を備えることを特徴とする画像形成装置。
【請求項７】
前記メッセージは、ユーザに前記後処理ジョブが予約されているという情報及び前記用紙を前記積載部へ正しい状態で戻すための情報を含むことを特徴とする請求項６に記載の画像形成装置。
【請求項８】
前記表示部に前記メッセージが表示された後に前記用紙検出手段の前記検出結果が前記無状態から前記有状態へ変化した場合に、前記表示部は、前記メッセージを前記表示部から消すことを特徴とする請求項６又は７に記載の画像形成装置。
【請求項９】
インサータと後処理機とに接続可能であり、用紙に画像形成処理を行う画像形成装置であって、前記インサータは、用紙が積載される積載部、及び、前記積載部の用紙が有るか無いかを検出する用紙検出手段を備え、前記後処理機は、前記画像形成装置から搬送された用紙に対して後処理を行うことが可能であるともに、前記インサータが備える前記積載部から給送されてきた用紙に対しても前記後処理を行うことが可能であり、
前記画像形成装置は、
前記後処理を伴う前記画像形成処理を行う画像形成ジョブ、及び、前記画像形成処理を行わずに前記後処理のみを行う後処理ジョブを受け付ける受付手段と、
前記受付手段により受け付けられたジョブを管理するためのジョブリストを生成するジョブリスト生成手段と、
前記用紙検出手段の検出結果が有状態から無状態へ変化した場合に、前記ジョブリストの中に前記後処理ジョブが含まれるか否かを判断する判断手段と、
前記判断手段により前記ジョブリストに前記後処理ジョブが含まれると判断された場合に、前記後処理ジョブを前記ジョブリストから削除する削除手段と、
を備えることを特徴とする画像形成装置。
【請求項１０】
前記削除手段は、前記検出結果の前記無状態が変わらずに所定時間経過したときに前記後処理ジョブを前記ジョブリストから削除することを特徴とする請求項９に記載の画像形成装置。
【発明の詳細な説明】
【技術分野】
【０００１】
本発明は、後処理ジョブを行う画像形成システム及び画像形成装置に関する。
【背景技術】
【０００２】
従来、画像形成装置は、画像形成装置の本体に後処理機を接続して、印刷処理からステイプル（綴じ）、穴あけ、折りなどの後処理までを一連の処理で行うものがある。画像形成装置により画像が形成された用紙にどのような種類の後処理を施すかは、通常、画像形成装置の本体に設けられた操作パネルから設定することができる。一方、印刷処理と後処理を一連の処理として行わず、印刷処理と後処理をそれぞれ単独で行うユースケースも存在する。具体的なユースケースとして、会議で配布された書類に対して後処理のみを行うことが挙げられる。後処理のみを行うために、画像形成装置から物理的に独立した後処理機があるが、画像形成装置に接続された後処理機で後処理のみを行うことも提案されている。特許文献１は、画像形成装置に接続された後処理機で後処理のみを一つの後処理ジョブとして行うことができ、後処理ジョブを予約することができる画像形成システムを開示している。後処理ジョブの予約を可能にすることにより、画像形成システムの稼働率を向上させることができる。
【先行技術文献】
【特許文献】
【０００３】
【特許文献１】特開２００５−１０３９８５号公報
【発明の概要】
【発明が解決しようとする課題】
【０００４】
しかし、ユーザは、画像形成システムで後処理ジョブを予約した後、別の作業のために画像形成システムから離れることがある。その後、別のユーザが、後処理ジョブが予約されていることに気付かずに後処理ジョブが行われるべき印刷済み用紙を画像形成システムから取り除き、別の印刷済み用紙を画像形成システムに設定することがある。その場合、意図しない印刷済み用紙に後処理が行われるという問題がある。また、その別のユーザは、印刷済み用紙を画像形成システムから取り除いた後、後処理ジョブが予約されていることに気付き、間違った向きで印刷済み用紙を画像形成システムへ戻すこともある。その場合、印刷済み用紙の間違った部分に後処理が行われるという問題がある。後処理ジョブが行われるべき印刷済み用紙は、一つしかない原本であることもあり、間違って後処理が行われた場合の影響は、大きい。
【０００５】
そこで、本発明は、後処理ジョブが行われるべき用紙が取り除かれた場合、表示部にメッセージを表示する画像形成システムを提供する。
【課題を解決するための手段】
【０００６】
本発明の一実施例による画像形成システムは、
用紙に画像形成処理を行う画像形成装置と、
用紙が積載される積載部、及び、前記積載部の用紙が有るか無いかを検出する用紙検出手段を備えるインサータと、
前記画像形成装置から搬送された用紙に対して後処理を行うことが可能であるともに、前記インサータが備える前記積載部から給送されてきた用紙に対しても前記後処理を行うことが可能な後処理機と、
制御装置と、
を有する画像形成システムであって、
前記制御装置は、前記後処理を伴う前記画像形成処理を行う画像形成ジョブ、及び、前記画像形成処理を行わずに前記後処理のみを行う後処理ジョブを受け付ける受付手段と、
前記受付手段により受け付けられたジョブを管理するためのジョブリストを生成するジョブリスト生成手段と、
前記用紙検出手段の検出結果が有状態から無状態へ変化した場合に、前記ジョブリストの中に前記後処理ジョブが含まれるか否かを判断する判断手段と、
前記判断手段により前記ジョブリストに前記後処理ジョブが含まれると判断された場合に、表示部にメッセージを表示する表示手段と、
を備えることを特徴とする。
【発明の効果】
【０００７】
本発明によれば、後処理ジョブが行われるべき用紙が取り除かれた場合、表示部にメッセージを表示することができる。
【図面の簡単な説明】
【０００８】
【図１】印刷システムを示す図。
【図２】画像形成装置のブロック図。
【図３】第一の実施形態におけるユーザの操作と画像形成装置の動作を示す図。
【図４】ＣＰＵにより実行されるジョブリスト生成動作を示す流れ図。
【図５】表示部に表示される画面を示す図。
【図６】ジョブリストを示す図。
【図７】ジョブ実行動作を示す流れ図。
【図８】第一の実施形態におけるＣＰＵにより実行される用紙有無検出動作を示す流れ図。
【図９】表示部に表示されるメッセージ表示画面を示す図。
【図１０】第二の実施形態におけるユーザの操作と画像形成装置の動作を示す図。
【図１１】第二の実施形態におけるＣＰＵにより実行される用紙有無検出動作を示す流れ図。
【発明を実施するための形態】
【０００９】
以下、本発明を実施するための形態について図面を用いて説明する。
【実施例１】
【００１０】
＜第一の実施形態＞
（印刷システム）
第一の実施形態による画像形成システム（以下、印刷システムという）１００を説明する。図１は印刷システム１００を示す図である。第一の実施形態の印刷システム１００は、画像形成装置１０１と、インサータ１０２と、後処理機とを有する。画像形成装置１０１は、インサータ１０２及び後処理機と接続可能である。第一の実施形態の後処理機は、穴あけ機１０３、折り機１０４及びステイプル機（綴じ機）１０５を含む。しかし、後処理機は、穴あけ機１０３、折り機１０４及びステイプル機１０５のうちの少なくとも一つを含んでいればよい。印刷システム１００は、画像形成装置１０１と、画像形成装置１０１に接続された少なくとも一つの後処理機とを有していればよい。また、印刷システム１００は、後処理機と一体に構成された画像形成装置１０１であってもよい。画像形成装置１０１は、原稿の画像を読み取って画像データを生成し、生成した画像データに基づいて記録媒体（以下、用紙という）に画像を形成する。また、画像形成装置１０１は、外部装置から画像データを受け取り、受け取った画像データに基づいて用紙に画像を形成する。
【００１１】
インサータ１０２は、原稿又は画像が形成された用紙（印刷済み用紙）が積載される積載部（以下、給送部という）１０７を有する。インサータ１０２は、画像形成装置１０１の搬送路を経由させずに後段にある穴あけ機１０３、折り機１０４又はステイプル機１０５へ用紙を給送する。第一の実施形態のインサータ１０２は、一つの給送部１０７を有するが、複数の給送部を有していてもよい。給送部１０７は、画像形成装置１０１の搬送路を経由させずに後段の後処理機へ用紙を給送できれば、別の構成を有していてもよい。インサータ１０２は、給送部１０７に載置された用紙の有無を検出する用紙センサ（用紙検出手段）１０６を有する。
【００１２】
穴あけ機１０３は、画像形成装置１０１からの指示に従って、用紙に穴をあける。穴の種類は、２穴又は多穴に予め決められていてもよい。穴あけ機１０３は、画像形成装置１０１からの指示に従って穴の数を選択可能であってもよい。折り機１０４は、画像形成装置１０１からの指示に従って、用紙に折り加工を行う。折り機１０４は、用紙を半分に折る二つ折り、用紙の２カ所を内側に折る内三つ折り、用紙を横から見たときにＺの形に折る外三つ折りを実行可能である。折られた用紙は、折り機１０４の下段にある排出部１０８へ排出される。ステイプル機１０５は、画像形成装置１０１からの指示に従って、針で用紙を綴じる。ステイプル機１０５は、用紙の四隅の一カ所を綴じたり、用紙の１辺を二カ所で綴じたりすることができる。
【００１３】
（画像形成装置）
次に、図２を用いて画像形成装置１０１を説明する。図２は、画像形成装置１０１のブロック図である。画像形成装置１０１は、コントローラユニット（制御装置）２０１、表示部２０２、操作部２０３、プリンタユニット２０４及びスキャナユニット２０５を有する。表示部２０２は、ＬＥＤや液晶ディスプレイを備え、ユーザの操作内容や装置の内部状態を表示する。操作部２０３は、ユーザからの操作を受け付ける。また、操作部２０３は、複数の操作ボタンを備えるだけでなく、表示部２０２とともにタッチディスプレイとして実現される場合もある。プリンタユニット２０４は、コントローラユニット２０１から印刷指示を受け付け、コントローラユニット２０１から送信される画像データに従って用紙に画像を形成する。
【００１４】
スキャナユニット２０５は、コントローラユニット２０１から読取指示を受け付け、原稿の画像を読み取り、原稿の画像データをコントローラユニット２０１へ送信する。コントローラユニット２０１は、中央処理装置（以下、ＣＰＵという）２０６、ＲＯＭ２０７、ＲＡＭ２０８、ハードディスクドライブ（以下、ＨＤＤという）２０９及びＥＥＰＲＯＭ２１０を有する。ＲＯＭ２０７は、システム起動に必要なブートプログラムを保存する読み取り専用メモリである。ＲＡＭ２０８は、揮発メモリであり、制御プログラムを実行する際に必要なワークメモリである。ＨＤＤ２０９は、磁気ディスクなどの記憶媒体であり、制御プログラム及び画像データを保存する。記憶手段としてのＥＥＰＲＯＭ２１０は、制御プログラムを実行する際に必要な設定値を保存する不揮発メモリである。コントローラユニット２０１は、制御用通信Ｉ／Ｆ（不図示）を介してインサータ１０２、穴あけ機１０３、折り機１０４及びステイプル機１０５に接続されている。コントローラユニット２０１は、これらの後処理機の動作時の設定をしたり、これらの後処理機の状態を取得したりできる。インサータ１０２の状態は、インサータ１０２の給送部１０７に用紙が有るか無いかの状態を含む。コンピュータとしてのＣＰＵ２０６は、ＨＤＤ２０９に保存された制御プログラムに従って、インサータ１０２、穴あけ機１０３、折り機１０４、ステイプル機１０５、プリンタユニット２０４及びスキャナユニット２０５の動作を制御する。
【００１５】
（第一の実施形態のユースケース）
次に、図３を用いて、第一の実施形態のユースケース（ユーザと印刷システム１００のやりとり）の一例を説明する。図３は、第一の実施形態におけるユーザＡ及びＢの操作と画像形成装置１０１の動作を示す図である。ここで、画像形成処理（以下、印刷処理という）のみ又は後処理を伴う印刷処理を行うジョブを画像形成ジョブという。画像形成ジョブは、スキャナユニット２０５により読み取った原稿の画像データに基づいて用紙に画像を形成するコピージョブと、外部装置から画像形成装置１０１へ入力される画像データに基づいて用紙に画像を形成するプリントジョブと、を含む。後処理のみを行うジョブを後処理ジョブという。後処理は、例えば、インサータ１０２による用紙の挿入、穴あけ機１０３による用紙の穴あけ、折り機１０４による用紙の折り、ステイプル機１０５による用紙束の綴じ、及び製本機（不図示）による用紙の製本をいう。先に入力されたジョブが実行中であるために入力後すぐに実行されず先のジョブが終了するまで待機するジョブを予約ジョブという。図３は、ユーザＡにより入力されたコピージョブの実行中に、後処理ジョブが予約ジョブとしてユーザＡにより入力され、その後、別のユーザＢによりユーザＡの後処理ジョブが行われるべき用紙が給送部から取り除かれた場合の例を示す。
【００１６】
まず、ユーザＡは、スキャナユニット２０５に原稿を載置してコピージョブを入力する。画像形成装置１０１は、コピージョブを受け付けると、スキャナユニット２０５により原稿の画像を読み取って画像データを生成し、生成された画像データに従ってプリンタユニット２０４により用紙に画像を形成する。画像形成装置１０１は、原稿の画像を読み取った後であれば、プリンタユニット２０４による画像形成中であっても次のジョブを受け付けることができる。図３に示す例では、ユーザＡは、コピージョブに続けてインサータ１０２の給送部１０７に用紙を載置し、後処理ジョブを画像形成装置１０１へ入力する。画像形成装置１０１は、コピージョブが実行されているので、入力された後処理ジョブを予約ジョブとして受け付ける。後処理されるべき用紙を搬送する搬送路は、先に入力されたコピージョブにより画像が形成された用紙が搬送される搬送路と重複している。そのため、印刷システム１００は、コピージョブが終了しなければ、後処理ジョブを実行することができない。従って、画像形成装置１０１は、後処理ジョブを受け付けても、コピージョブが終了するまで、後処理ジョブを開始できない。そこで、画像形成装置１０１は、コピージョブ実行中に後処理ジョブが入力された場合、後処理ジョブを予約ジョブとして受け付ける。予約ジョブは、受け付けられた時点では実行が開始されず、それ以前に受け付けた全てのジョブが完了した時点で実行が開始される。従って、ユーザＡは、後処理ジョブが予約ジョブとして受け付けられると、画像形成装置１０１から立ち去ることが多い。
【００１７】
ユーザＡが画像形成装置１０１から立ち去った後、ユーザＡと異なるユーザＢが、インサータ１０２を使用するために画像形成装置１０１へ来る。ユーザＢは、ユーザＡの後処理ジョブが予約されていることに気付かず、インサータ１０２を使用するために、インサータ１０２の給送部１０７に載置されているユーザＡの用紙を放置されたものと思い取り除く。第一の実施形態によれば、ユーザＢがユーザＡの用紙を取り除いたタイミングで、画像形成装置１０１の表示部２０２に、給送部１０７から取り除かれた用紙を元の給送部１０７へ正しい状態で戻すように促すメッセージが表示される。表示部２０２のメッセージを見たユーザＢは、他のユーザによる後処理ジョブが予約されていることに気付き、給送部１０７から取り除いた用紙を正しい状態へ戻すことができる。これにより、ユーザＡのコピージョブ完了後、ユーザＡの後処理ジョブが正しく実行される。
【００１８】
（ジョブリスト生成動作）
次に、図４を参照して、入力されたジョブを管理するためのジョブリストを生成するジョブリスト生成動作を説明する。ユーザにより画像形成装置１０１へ入力されたジョブは、ジョブリストへ追加される。ＣＰＵ２０６は、後処理を伴う画像形成処理を行う画像形成ジョブ、及び、画像形成処理を行わずに後処理のみを行う後処理ジョブを受け付ける受付手段として機能する。ＣＰＵ２０６は、受け付けたジョブを管理するためのジョブリストを生成するジョブリスト生成手段として機能する。図４は、ＣＰＵ２０６により実行されるジョブリスト生成動作を示す流れ図である。画像形成装置１０１のＣＰＵ２０６は、ＨＤＤ２０９に保存された制御プログラムに従ってジョブリスト生成動作を実行する。まず、Ｓ４０１で、ＣＰＵ２０６は、表示部２０２にメイン画面５０１を表示する。ユーザは、メイン画面５０１において、実行すべき機能を選択する。図５は、表示部２０２に表示される画面を示す図である。図５（ａ）は、メイン画面５０１の一例を示す図である。メイン画面５０１は、コピーアイコン５０２及び後処理アイコン５０３を有する。ユーザは、コピージョブを入力する場合、コピーアイコン５０２に触れる。ユーザは、後処理ジョブを入力する場合、後処理アイコン５０３に触れる。ユーザは、メイン画面５０１において、入力するジョブがコピージョブか後処理ジョブかを選択することができる。図５（ａ）に示すメイン画面５０１は、コピーアイコン５０２及び後処理アイコン５０３を示しているが、メイン画面５０１は、これら以外のアイコンを有していてもよい。Ｓ４０２で、ＣＰＵ２０６は、どのアイコンが触れられたかを判断する。ＣＰＵ２０６は、ユーザにより入力されたジョブがコピージョブであるか後処理ジョブであるかを判断するジョブ判断手段（第一の判断手段）として機能する。コピーアイコンが触れられた場合、ＣＰＵ２０６は、コピージョブを設定するためにＳ４０３へ処理を進める。後処理アイコンが触れられた場合、後処理ジョブを設定するためにＣＰＵ２０６は、Ｓ４０８へ処理を進める。
【００１９】
コピーアイコンが触れられた場合、ＣＰＵ２０６は、Ｓ４０３でコピージョブを設定するためのコピー設定画面５０４を表示する。図５（ｂ）は、コピー設定画面５０４の一例を示す図である。コピー設定画面５０４は、部数設定部５０５、給送部設定部５０６及び後処理設定部５０７を有する。ユーザは、部数設定部５０５により、１枚の原稿の画像が形成される（コピーされる）用紙の枚数（部数）を設定する。ユーザは、給送部設定部５０６により、画像が形成される用紙を給送する給送部を設定する。ユーザは、後処理設定部５０７により、画像が形成された用紙に行うべき後処理を設定する。コピー設定画面５０４は、これら以外にもコピージョブに関する設定部を有していてもよい。Ｓ４０４で、ＣＰＵ２０６は、コピージョブの設定を受け付ける。
【００２０】
Ｓ４０５で、ＣＰＵ２０６は、操作部２０３から開始指示を受け付けたか否かを判断する。操作部２０３から開始指示を受け付けていない場合（Ｓ４０５でＮＯ）、ＣＰＵ２０６は、処理をＳ４０４へ戻し、コピージョブの設定を受け付ける。操作部２０３から開始指示を受け付けた場合（Ｓ４０５でＹＥＳ）、ＣＰＵ２０６は、Ｓ４０６でスキャナユニット２０５に原稿の読み取り処理を開始させる。原稿が複数枚ある場合、全ての原稿の読み取り処理を行う。また、原稿から読み取られた画像データは、一時的に、ＨＤＤ２０９に保存される。Ｓ４０７で、ＣＰＵ２０６は、入力されたジョブを管理するためのジョブリストへコピージョブを追加する。ＣＰＵ２０６は、ＥＥＰＲＯＭ２１０へジョブリストを保存し、ジョブリスト生成動作を終了する。
【００２１】
図６を用いて、ジョブリストの一例を説明する。図６は、ジョブリスト６０１を示す図である。ジョブリスト６０１は、実行順序６０２、ジョブ種６０３、実行状況６０４、用紙サイズ６０５、出力枚数６０６、給送部６０７及び後処理６０８の項目を有する。入力されたジョブは、そのジョブが入力された時点の最終ジョブの次に追加される。入力されたジョブの実行順序６０２には、最終ジョブの実行順序６０２に１を加えた値が設定される。ジョブ種６０３には、入力されたジョブの種類に従ってコピージョブ、後処理ジョブ又はプリントジョブが設定される。実行状況６０４には、その時点で実行されているジョブに対して「実行中」が設定され、その時点で待機しているジョブ（予約ジョブ）に対して「実行待ち」が設定される。ジョブが入力された時点で、実行状況６０４に、一旦、「実行待ち」が設定される。その後、実際にジョブの実行が開始された時点で、そのジョブの実行状況６０４は、「実行中」へ更新される。
【００２２】
用紙サイズ６０５には、出力される用紙のサイズが表示される。出力枚数６０６には、出力される用紙の枚数が表示される。例えば、コピージョブの場合、原稿が５枚で、部数が２部の場合、出力枚数は１０枚となる。給送部６０７には、出力する用紙を給送する給送部が表示される。例えば、コピージョブの場合、給送部６０７には、コピー設定画面５０４の給送部設定部５０６により設定された給送部（設定給送部）が給送部６０７に表示される。後処理６０８には、コピージョブ又はプリントジョブで出力された用紙あるいはインサータ１０２の給送部１０７に載置された用紙に対して実行されるべき後処理が表示される。例えば、コピージョブの場合、コピー設定画面５０４の後処理設定部５０７により設定された後処理が後処理６０８に表示される。ジョブリスト６０１は、図６に示した項目に限らず、ジョブを管理する上で必要な項目を更に有していてもよい。
【００２３】
次に、メイン画面５０１の後処理アイコン５０３がユーザにより触れられた場合を説明する。後処理アイコン５０３が触れられた場合、ＣＰＵ２０６は、Ｓ４０８で後処理ジョブを設定するための後処理設定画面５０８を表示する。図５（ｃ）は、後処理設定画面５０８の一例を示す図である。後処理設定画面５０８は、枚数設定部５０９、給送部設定部５１０、用紙サイズ設定部５１１、及び後処理設定部５１２を有する。ユーザは、枚数設定部５０９により、後処理が行われるべき用紙の枚数を設定する。ユーザは、給送部設定部５１０により、後処理が行われるべき用紙を給送する給送部を設定する。ユーザは、用紙サイズ設定部５１１により、後処理が行われるべき用紙のサイズを設定する。ユーザは、後処理設定部５１２により、用紙に行うべき後処理を設定する。後処理設定画面５０８は、これら以外にも後処理ジョブに関する設定部を有していてもよい。Ｓ４０９で、ＣＰＵ２０６は、後処理ジョブの設定を受け付ける。
【００２４】
Ｓ４１０で、ＣＰＵ２０６は、操作部２０３から開始指示を受け付けたか否かを判断する。操作部２０３から開始指示を受け付けていない場合（Ｓ４１０でＮＯ）、ＣＰＵ２０６は、処理をＳ４０９へ戻し、後処理ジョブの設定を受け付ける。操作部２０３から開始指示を受け付けた場合（Ｓ４１０でＹＥＳ）、ＣＰＵ２０６は、Ｓ４１１でジョブリスト６０１へ後処理ジョブを追加する。後処理ジョブは、最終ジョブの次に追加される。入力された後処理ジョブの実行順序６０２には、最終ジョブの実行順序６０２に１を加えた値が設定される。ジョブ種６０３には、後処理ジョブが設定される。実行状況６０４には、コピージョブと同様に、一旦、実行待ちが設定される。用紙サイズ６０５、出力枚数６０６、給送部６０７及び後処理６０８には、それぞれ後処理設定画面５０８で設定された設定値が設定される。ＣＰＵ２０６は、ＥＥＰＲＯＭ２１０へジョブリストを保存し、ジョブリスト生成動作を終了する。
【００２５】
（ジョブ実行動作）
次に、図７を用いて、入力されたコピージョブ及び後処理ジョブを実行するジョブ実行動作を説明する。図７は、ジョブ実行動作を示す流れ図である。ＣＰＵ２０６は、ＨＤＤ２０９に保存された制御プログラムに従ってジョブ実行動作を実行する。まず、Ｓ７０１で、ＣＰＵ２０６は、ジョブリスト６０１を取得する。次に、Ｓ７０２で、ＣＰＵ２０６は、ジョブリスト６０１の中に実行すべきジョブがあるか否かを判断する。実行すべきジョブがない場合（Ｓ７０２でＮＯ）、ＣＰＵ２０６は、ジョブ実行動作を終了する。実行すべきジョブがある場合（Ｓ７０２でＹＥＳ）、ＣＰＵ２０６は、Ｓ７０３でジョブリスト６０１から先頭のジョブ情報を取得する。具体的には、ＣＰＵ２０６は、ジョブリスト６０１の実行順序６０２が「１」であるジョブ情報を取得する。ジョブ情報のジョブ種６０３がコピージョブである場合、ＣＰＵ２０６は、Ｓ４０６で読み取った画像データをＨＤＤ２０９から読み出す。次に、Ｓ７０４で、ＣＰＵ２０６は、ジョブリスト６０１の先頭のコピージョブの実行状況６０４を「実行中」へ更新する。
【００２６】
ＣＰＵ２０６は、Ｓ７０５以降でジョブ種に応じた処理を行う。Ｓ７０５で、ＣＰＵ２０６は、ジョブリスト６０１のジョブ種６０３に基づいてジョブ種を判断する。ジョブ種がコピージョブである場合、Ｓ７０６で、ＣＰＵ２０６は、Ｓ７０３で取得した画像データをプリンタユニット２０４へ送信し、プリンタユニット２０４に印刷処理を実行させる。部数設定部５０５により複数部が設定されている場合、ＣＰＵ２０６は、設定された部数に従って画像データをプリンタユニット２０４へ送信する。Ｓ７０７で、ＣＰＵ２０６は、コピージョブと伴に設定された後処理の設定に関する情報を、対応する後処理機へ送信する。後処理機は、受信した後処理の設定に関する情報に従って、印刷済み用紙に対して後処理を行う。
【００２７】
一方、Ｓ７０５でジョブ種が後処理ジョブである場合、Ｓ７０８で、ＣＰＵ２０６は、Ｓ７０７と同様に、給送部から給送される用紙に対して後処理を行う。ジョブが終了すると、Ｓ７０９で、ＣＰＵ２０６は、該当のジョブをジョブリスト６０１から削除する。この処理は、ジョブリスト６０１の実行順序６０２が「２」以降のジョブの実行順序６０２を一つずつ繰り上げる処理を含む。その後、ＣＰＵ２０６は、処理をＳ７０１へ戻す。ジョブ実行動作において、コピージョブ又は後処理ジョブは、ジョブリスト６０１に設定されたジョブ情報に従って実行される。
【００２８】
（用紙有無検出動作）
次に、図８及び図９を参照して、予約された後処理ジョブが行われるべき用紙が印刷システム１００から取り除かれた場合の用紙有無検出動作を説明する。後処理機（１０２〜１０５）の複数の給送部のそれぞれで用紙の有無が検出され、その検出結果をＣＰＵ２０６は、監視している。用紙有無検出動作は、それぞれの給送部における用紙の有無状態が変更された場合に実行される。図８は、第一の実施形態におけるＣＰＵ２０６により実行される用紙有無検出動作を示す流れ図である。ＣＰＵ２０６は、ＨＤＤ２０９に保存された制御プログラムに従って用紙有無検出動作を実行する。
【００２９】
後処理機の複数の給送部のいずれかに載置された用紙がユーザにより取り除かれると、用紙センサの検出結果が有状態から無状態へ変化する。ＣＰＵ２０６は、Ｓ８０１で、給送部に設けられた用紙センサの検出結果が有状態から無状態へ変化したか否かを判断する。ＣＰＵ２０６は、複数の給送部のそれぞれに用紙が有るか無いかを検出する用紙検出手段として機能する。用紙センサの検出結果が有状態から無状態へ変化していない場合（Ｓ８０１でＮＯ）、ＣＰＵ２０６は、用紙有無検出動作を終了する。この場合、給送部へ用紙が載置されることにより用紙センサの検出結果が無状態から有状態へ変化したので、ＣＰＵ２０６は、用紙有無検出動作を終了し、用紙センサの検出結果の監視を継続する。一方、用紙センサの検出結果が有状態から無状態へ変化した場合（Ｓ８０１でＹＥＳ）、ＣＰＵ２０６は、処理をＳ８０２へ進める。Ｓ８０２で、ＣＰＵ２０６は、ジョブリスト６０１に後処理ジョブがあるか否かを判断する。ＣＰＵ２０６は、用紙センサの検出結果が有状態から無状態へ変化した場合に、ジョブリスト６０１に後処理ジョブが含まれるか否かを判断する後処理ジョブ有無判断手段（第二の判断手段）として機能する。後処理ジョブがない場合（Ｓ８０２でＮＯ）、ＣＰＵ２０６は、用紙有無検出動作を終了する。後処理ジョブがある場合（Ｓ８０２でＹＥＳ）、ＣＰＵ２０６は、処理をＳ８０３へ進める。
【００３０】
Ｓ８０３で、ＣＰＵ２０６は、後処理ジョブに設定された給送部（設定給送部）が、用紙センサの検出結果が有状態から無状態へ変化した給送部（検出給送部）であるか否かを判断する。ＣＰＵ２０６は、ジョブリスト６０１に後処理ジョブが含まれると判断された場合に、検出結果が有状態から無状態へ変化した給送部が後処理ジョブか行われる用紙を給送する給送部であるか否かを判断する給送部判断手段（第三の判断手段）として機能する。設定給送部が検出給送部でない場合（Ｓ８０３でＮＯ）、ＣＰＵ２０６は、用紙有無検出動作を終了する。設定給送部が検出給送部である場合（Ｓ８０３でＹＥＳ）、予約された後処理ジョブが行われるべき用紙が給送部から取り除かれたので、Ｓ８０４で、ＣＰＵ２０６は、用紙を検出給送部へ正しい状態で戻すようにユーザに促すメッセージを表示部２０２に表示する。ＣＰＵ２０６は、検出給送部が設定給送部である場合に、表示部２０２にメッセージを表示する表示手段として機能する。メッセージ表示画面９０１の一例を図９に示す。図９は、表示部２０２に表示されるメッセージ表示画面９０１を示す図である。メッセージ表示画面９０１は、後処理ジョブが予約されているという情報及び用紙を検出給送部（元の給送部）へ正しい状態で戻すための情報を表示する。メッセージ表示後、Ｓ８０５で、ＣＰＵ２０６は、用紙が検出給送部（元の給送部）へ戻されたか否かを判断する。用紙が検出給送部へ戻されたか否かは、検出給送部に設けられた用紙センサの検出結果に基づいて判断される。用紙が検出給送部へ戻されていない場合（Ｓ８０５でＮＯ）、ＣＰＵ２０６は、用紙が検出給送部へ戻されるまで待機する。用紙が検出給送部へ戻されると、用紙センサの検出結果が無状態から有状態へ変化する。用紙が検出給送部へ戻された場合（Ｓ８０５でＹＥＳ）、ＣＰＵ２０６は、Ｓ８０６でメッセージを表示部２０２から消す。ＣＰＵ２０６は、用紙有無検出動作を終了する。
【００３１】
第一の実施形態では、予約された後処理ジョブが行われるべき用紙が給送部から取り除かれたタイミングで表示部２０２にメッセージが表示される。しかし、メッセージを表示するタイミングは、これに限定されるものではない。予約された後処理ジョブが行われるべき用紙が給送部から取り除かれ、その後、用紙が給送部へ戻されたタイミングで表示部にメッセージを表示してもよい。あるいは、後処理ジョブを実行する直前にメッセージを表示してもよい。
【００３２】
第一の実施形態によれば、予約された後処理ジョブの待機中に後処理ジョブを行うべき用紙が給送部から取り除かれた場合、用紙を給送部へ正しい状態で戻すようにユーザに促すメッセージを表示し、用紙が給送部へ戻されたか否かを判断することができる。ユーザは、メッセージに従って用紙を給送部へ正しい状態で戻すことができる。従って、間違った用紙に後処理が行われたり、用紙の間違った部分に後処理が行われたりすることを防ぐことができる。
【００３３】
第一の実施形態によれば、後処理ジョブが行われるべき用紙が取り除かれた場合、表示部にメッセージを表示することができる。
【実施例２】
【００３４】
＜第二の実施形態＞
以下、図１０及び図１１を参照して、第二の実施形態を説明する。第二の実施形態において、第一の実施形態の構造と同様の構造には、同様の参照符号を付して説明を省略する。第二の実施形態の印刷システム１００、画像形成装置１０１、ジョブリスト生成動作及びジョブ実行動作は、第一の実施形態と同様であるので説明を省略する。第二の実施形態のユースケース及び用紙有無検出動作は、第一の実施形態と異なるので、以下、異なる点を主に説明する。
【００３５】
（第二の実施形態のユースケース）
図１０を用いて、第二の実施形態のユースケース（ユーザと印刷システム１００のやりとり）の一例を説明する。図１０は、第二の実施形態におけるユーザＡ及びＢの操作と画像形成装置１０１の動作を示す図である。図１０は、図３と同様に、ユーザＡにより入力されたコピージョブの実行中に、後処理ジョブが予約ジョブとしてユーザＡにより入力され、その後、別のユーザＢによりユーザＡの後処理ジョブが行われるべき用紙が給送部から取り除かれた場合の例を示す。
【００３６】
ユーザＡがコピージョブを入力してからユーザＢがインサータ１０２の給送部１０７に載置されているユーザＡの用紙を取り除くまでの行動は、第一の実施形態における図３と同様であるので、説明を省略する。インサータ１０２の給送部１０７から用紙が取り除かれると、画像形成装置１０１は、ユーザＡにより予約された後処理ジョブをキャンセルする。ことにより、間違った用紙に後処理が行われることを防ぐことができる。
【００３７】
（用紙有無検出動作）
次に、図１１を参照して、予約された後処理ジョブが行われるべき用紙が印刷システム１００から取り除かれた場合の用紙有無検出動作を説明する。後処理機（１０２〜１０５）の複数の給送部のそれぞれで用紙の有無が検出され、その検出結果をＣＰＵ２０６は、監視している。用紙有無検出動作は、それぞれの給送部における用紙の有無状態が変更された場合に実行される。図１１は、第二の実施形態におけるＣＰＵ２０６により実行される用紙有無検出動作を示す流れ図である。ＣＰＵ２０６は、ＨＤＤ２０９に保存された制御プログラムに従って用紙有無検出動作を実行する。
【００３８】
図１１に示すＳ１１０１からＳ１１０３までの処理は、図８に示すＳ８０１からＳ８０３までの処理と同様であるので、説明を省略する。設定給送部が検出給送部である場合（Ｓ１１０３でＹＥＳ）、予約された後処理ジョブが行われるべき用紙が給送部から取り除かれたので、Ｓ１１０４で、ＣＰＵ２０６は、用紙が取り除かれた状態が所定時間経過したか否かを判断する。用紙が取り除かれた状態が所定時間経過したか否かは、用紙センサ１０６の検出結果の無状態が変わらずに所定時間経過したか否かで判断される。所定時間は、予め決められた時間でもよいし、ユーザにより設定された時間でもよい。また、所定時間は、０秒であってもよい。所定時間が経過していない場合（Ｓ１１０４でＮＯ）、Ｓ１１０５で、ＣＰＵ２０６は、用紙が検出給送部（元の給送部）へ戻されたか否かを判断する。用紙が検出給送部へ戻された場合（Ｓ１１０５でＹＥＳ）、ＣＰＵ２０６は、用紙有無検出動作を終了する。用紙が検出給送部へ戻されてない場合（Ｓ１１０５でＮＯ）、ＣＰＵ２０６は、処理をＳ１１０４へ戻す。所定時間が経過した場合（Ｓ１１０４でＹＥＳ）、ＣＰＵ２０６は、Ｓ１１０６で該当の後処理ジョブをキャンセルする。このとき、ＣＰＵ２０６は、後処理ジョブを入力したユーザＡへ後処理ジョブがキャンセルされたことを通知してもよい。ＣＰＵ２０６は、該当の後処理ジョブをジョブリスト６０１から削除する。この処理は、ジョブリスト６０１の実行順序６０２で「２」以降のジョブの実行順序６０２を一つずつ繰り上げる処理も含む。ＣＰＵ２０６は、検出給送部が前記設定給送部である場合に、該当の後処理ジョブをジョブリスト６０１から削除する削除手段として機能する。
【００３９】
第二の実施形態によれば、予約された後処理ジョブの待機中に後処理ジョブを行うべき用紙が給送部から取り除かれた場合、予約された後処理ジョブをキャンセルすることができる。従って、間違った用紙に後処理が行われたり、用紙の間違った部分に後処理が行われたりすることを防ぐことができる。
【００４０】
第二の実施形態によれば、後処理ジョブが行われるべき用紙が取り除かれた場合、ジョブリストから該当の後処理ジョブを削除することができる。
【符号の説明】
【００４１】
１００・・・印刷システム（画像形成システム）
１０１・・・画像形成装置
１０２・・・インサータ
１０３・・・穴あけ機（後処理機）
１０４・・・折り機（後処理機）
１０５・・・ステイプル機（後処理機）
１０６・・・用紙センサ（用紙検出手段）
１０７・・・給送部（積載部）
２０１・・・コントローラユニット（制御装置）
２０２・・・表示部
２０６・・・ＣＰＵ
【図１】
2019098672.tif 000003
【図２】
2019098672.tif 000004
【図３】
2019098672.tif 000005
【図４】
2019098672.tif 000006
【図５】
2019098672.tif 000007
【図６】
2019098672.tif 000008
【図７】
2019098672.tif 000009
【図８】
2019098672.tif 000010
【図９】
2019098672.tif 000011
【図１０】
2019098672.tif 000012
【図１１】
2019098672.tif 000013